(57)【要約】【課題】  ぬいぐるみ等の外観上の見栄えが好ましく、しかも、ぬいぐるみ等のポーズを安定させることができる接合具を提供する。【解決手段】  凹面状の円盤体からなる基部から突出する軸部を有し、該軸部に複数の係合突起を有する軸盤と、該軸盤の軸部が嵌入し得る凹面状の円盤体からなり、軸盤の軸部が挿通される孔部を有するワッシャと、弾性変形が可能な合成樹脂からなり、軸盤の軸部が挿通された際に、軸部の複数の係合突起のいずれかと係合可能な絞り孔部を有する留めナットから構成する。【選択図】      図５
2006034652.tif 000002
【特許請求の範囲】
【請求項１】
円盤体からなる基部から突出する軸部を有し、該軸部に複数の係合突起を有する軸盤と、円盤体からなり、軸盤の軸部が挿通される孔部を有するワッシャと、弾性変形が可能な合成樹脂からなり、軸盤の軸部が挿通された際に、軸部の複数の係合突起のいずれかと係合可能な絞り孔部を有する留めナットから構成され、軸盤の軸部にワッシャ及び留めナットを順に嵌挿するようにしたぬいぐるみ等の接合具において、
前記軸盤の基部が凹面状の円盤体からなり、かつ、前記ワッシャが前記軸盤の基部を嵌入し得る凹面状の円盤体からなることを特徴とするぬいぐるみ等の接合具。
【発明の詳細な説明】
【技術分野】
【０００１】
本発明は、動物又は人の形を模したぬいぐるみ或いは人形等において胴体に頭、腕及び脚その他可動部を回動可能に接合できる接合具に関する。
【背景技術】
【０００２】
動物又は人の形を模して形成したぬいぐるみは、様々なものが提案され実用に供されている。近年、胴体に対して頭、腕及び脚その他の可動部を回動できるようにしたぬいぐるみが存在している。図７は、そのようなぬいぐるみの一例を示す。
【０００３】
図７に示すぬいぐるみ３０は、例えば熊の形を模して形成したもので、胴体３１、頭３２、一対の腕３３及び一対の脚３４からなり、胴体３１に対して頭３２、一対の腕３３及び一対の脚３４がそれぞれ接合具Ｂを介して回動可能に接合されている。
【０００４】
接合具Ｂは、図８及び図９に示すように、軸盤２１、ワッシャ２２及び留めナット２３の三つの部材から構成され、軸盤２１、ワッシャ２２及び留めナット２３は構成樹脂製である。軸盤２１は、平板状の円盤体からなる基部２１ａから突出する軸部２１ｂを有し、この軸部２１ｂに複数の係合突起２１ｃを有する。ワッシャ２２は、軸盤２１の基部２１ａとほぼ同一寸法の平板状の円盤体からなり、その中心に軸盤２１の軸部２１ｂが挿通される孔部２２ａを有する。留めナット２３は、弾性変形が可能な合成樹脂からなり、軸盤２１の軸部２１ｂが挿通された際に、軸盤２１における軸部２１ｂの複数の係合突起２１ｃのいずれかと係合可能な絞り孔部２３ａを有する。留めナット２３の絞り孔部２３ａは、テーパ状に形成され、その小径側端縁２３ａ´は軸盤２１における軸部２１ｂの係合突起２１ｃの外径よりもやや小径の内径を有しており、絞り孔部２３ａ内にテーパの大径側から軸盤２１の軸部２１ｂを強制的に挿通すると、前記小径側端縁２３ａ´が弾性変形によって軸部２１ｂの係合突起２１ｃを次々と乗り越えたのちそのいずれかと係合するようになっている。このように留めナット２３の絞り孔部２３ａが軸盤２１における軸部２１ｂの複数の係合突起２１ｃのいずれかに係合することにより、留めナット２３は軸盤２１の軸部２１ｂから抜脱しなくなる。
【０００５】
胴体３１に頭３２を接合具Ｂにより接合する場合、まず、軸盤２１を綿、スポンジその他の詰め物が充填されていない頭３２の未縫製の詰め物充填用開口部（以下、開口部と称す）から頭３２の内部に挿入し、軸盤２１の軸部２１ｂを頭３２に予め形成されていた接合用孔部から突出させる。次に、この軸盤２１の軸部２１ｂを詰め物が充填されていない胴体３１に予め形成されていた接合用孔部から胴体３１の内部に挿入する。そして、胴体３１の内部において、軸盤２１の軸部２１ｂに胴体３１の未縫製の開口部から挿入したワッシャ２２を軸盤２１の基部２１ａに当接するまで嵌挿して頭１２及び胴体１１の表面布地を軸盤２１の基部２１ａとワッシャ２２とによって挟んだ状態で、軸盤２１の軸部２１ｂに胴体３１の開口部から挿入した留めナット２３をワッシャ２２に突き当たるまで強制的に嵌挿して軸部２１ｂの係合突起２１ｃに留めナット２３の絞り孔部２３ａを係合することにより、軸盤２１の軸部２１ｂからワッシャ２２及び留めナット２３が抜脱しなくなり、胴体３１に頭３２が回動可能に接合されることとなる。尚、腕１３及び脚１４も頭３２の場合と同様の要領により、胴体３１に接合具Ｂにより接合される。
【０００６】
次いで、胴体３１、頭３２、腕３３及び脚３４のそれぞれに対して未縫製の開口部から詰め物を充填し、この開口部を縫い合わせることにより、図７に示すぬいぐるみ３０が得られる。
【発明の開示】
【発明が解決しようとする課題】
【０００７】
ところで、ぬいぐるみ３０においては、接合具Ｂにおける軸盤２１の基部２１ａとワッシャ２２が平板状の円盤体からなるため、胴体３１と頭３２、腕３３及び脚３４の接合状態においてその接合面の納まりが悪くて接合ラインが不自然になり、外観上の見栄えが好ましくないという問題があった。しかも、平板状の円盤体からなる軸盤２１の基部２１ａとワッシャ２２では胴体３１と頭３２、腕３３及び脚３４を接合したときに、胴体３１と頭３２、腕３３及び脚３４の接地面積を広く取ることができず、胴体３１と頭３２、腕３３及び脚３４の接合面における摩擦抵抗が小さい。その結果、頭３２、腕３３及び脚３４が容易に回動して回動位置を一定に保持させることができず、ぬいぐるみ３０のポーズを安定させることができないという問題があった。
【０００８】
本発明は、上記問題点に鑑みて提案されたものであり、ぬいぐるみ等の外観上の見栄えが好ましく、しかも、ぬいぐるみ等のポーズを安定させることができる接合具を提供することを課題とする。
【課題を解決するための手段】
【０００９】
上記課題を解決するため、本発明は、円盤体からなる基部から突出する軸部を有し、該軸部に複数の係合突起を有する軸盤と、円盤体からなり、軸盤の軸部が挿通される孔部を有するワッシャと、弾性変形が可能な合成樹脂からなり、軸盤の軸部が挿通された際に、軸部の複数の係合突起のいずれかと係合可能な絞り孔部を有する留めナットから構成され、軸盤の軸部にワッシャ及び留めナットを順に嵌挿するようにしたぬいぐるみ等の接合具において、前記軸盤の基部が凹面状の円盤体からなり、かつ、前記ワッシャが前記軸盤の基部を嵌入し得る凹面状の円盤体からなることを特徴とする。
【００１０】
本発明においては、軸盤の基部とワッシャを凹面状の円盤体としたことで、胴体と頭、腕及び脚その他の可動部を接合したときにその接合面が胴体側に入り込むとともに、胴体と頭、腕及び脚その他の可動部の接地面積が平面状から凹面状へ積極的に広げられて接合面における摩擦抵抗が増す。
【発明の効果】
【００１１】
以上説明したように、本発明によれば、胴体と頭、腕及び脚その他の可動部の接合面が胴体側に入り込むので、自然な接合ラインが得られて外観上好ましいとともに、接合面における摩擦抵抗が増して頭、腕及び脚その他の可動部の回動姿勢を一定に保持できるので、ポーズを安定して保持することができる。
【発明を実施するための最良の形態】
【００１２】
以下、本発明の実施形態について図面に基づいて説明する。図１は、本発明の接合具Ａを用いて製造されたぬいぐるみ１０の正面図、図２は本発明の接合具Ａの正面図、図３は図２の接合具Ａの平面図、図４は図２の接合具Ａの底面図、図５は図２の接合具Ａのａ−ａ線における断面図、図６は図２の接合具Ａの分解図である。
【００１３】
この実施形態のぬいぐるみ１０は、例えば熊の形を模して形成したもので、胴体部１１、頭部１２、一対の腕部１３及び一対の脚部１４からなり、胴体部１１に対して頭部１２、一対の腕部１３及び一対の脚部１４がそれぞれ接合具Ａを介して回動可能に接合されている。
【００１４】
接合具Ａは、図２乃至図６に示すように、軸盤１、ワッシャ２及び留めナット３の三つの部材より構成され、軸盤１、ワッシャ２及び留めナット３は合成樹脂製である。
【００１５】
軸盤１は、椀状の円盤体からなる基部１ａから突出する軸部１ｂを有し、この軸部１ｂに複数の係止突起１ｃを有する。
【００１６】
ワッシャ２は、軸盤１の基部１ａをすっぽり嵌入し得る椀状の円盤体からなり、その中心に軸盤１の軸部１ｂが挿通される孔部２ａを有する。
【００１７】
留めナット３は、弾性変形が可能な合成樹脂からなり、軸盤１の軸部１ｂが挿通された際、軸盤１における軸部１ｂの複数の係合突起１ｃのいずれかと係合可能な絞り孔部３ａを有する。留めナット３の絞り孔部３ａは、テーパ状に形成され、その小径側端縁３ａ´は軸盤１における軸部１ｂの係合突起１ｃの外径よりもやや小径の内径を有しており、絞り孔部１ａ内にテーパの大径側から軸盤１の軸部１ｂを強制的に挿通すると、前記小径側端縁３ａ´が弾性変形によって軸部１ｂの係合突起１ｃを次々と乗り越えたのちそのいずれかと食い込み状に係合するようになっている。このように留めナット３の絞り孔部３ａが軸盤１における軸部１ｂの複数の係合段部１ｃのいずれかと係合することにより、留めナット３は軸盤１１の軸部１ｂから抜脱しなくなる。
【００１８】
次に、接合具Ａを用いて胴体１１に頭１２、腕１３及び脚１４を接合する要領について説明する。
【００１９】
例えば、胴体１１に頭１２を接合する場合、まず、軸盤１を綿、スポンジその他の詰め物を充填していない頭１２の未縫製の開口部から頭１２の内部に挿入し、軸盤１の軸部１ｂを頭１２に予め形成されていた接合用孔部から突出させる。次に、この軸盤１の軸部１ｂを詰め物を充填していない胴体１１に予め形成されていた接合用孔部から胴体１１の内部に挿入する。そして、胴体１１の内部において、軸盤１の軸部１ｂに胴体１１の未縫製の開口部から挿入したワッシャ２を軸盤１の椀状基部１ａがすっぽり嵌入するまで嵌挿し、これに伴って軸盤１の椀状基部１ａとワッシャ２によって頭１２及び胴体１１の布地を挟み付ける。このように軸盤１の椀状基部１ａとワッシャ２によって頭１２及び胴体１１の布地を挟み付けた状態で、軸盤１の軸部１ｂに胴体１１の未縫製の開口部から挿入した留めナット３をワッシャ２に突き当たるまで強制的に嵌挿し、軸盤１における軸部１ｂの係合突起１ｃに留めナット３の絞り孔部３ａを係合する。このように軸盤１における軸部１ｂの係合突起１ｃに留めナット３の絞り孔部３ａを係合することにより、軸盤１の軸部１ｂからワッシャ２及び留めナット３が抜脱しなくなり、胴体１１に頭１２が回動可能に接合されることとなる。尚、腕１３及び脚１４も頭１２の場合と同様の要領により、胴体１１に接合される。
【００２０】
次いで、胴体１１、頭１２、腕１３及び脚１４のそれぞれに対して未縫製の開口部から詰め物を充填し、この開口部を縫い合わせることにより図１に示すぬいぐるみ１０が得られる。
【００２１】
本発明の接合具Ａにおいては、軸盤１の基部１ａとワッシャ２を椀状に形成したことにより、胴体１１と頭１２、腕１３及び脚１４の接合状態においてその接合面が胴体１１側に入り込んで自然な接合ラインが得られ、ぬいぐるみとしての外観上の見栄えが好ましい。しかも、軸盤１の基部１ａとワッシャ２を椀状に形成して胴体１１と頭１２、腕１３及び脚１４の接地面積を平面状から球面状へ積極的に広くしたことにより、胴体１１と頭１２、腕１３及び脚１４との接合面における摩擦抵抗を増大することができる。従って、大きな摩擦抵抗力によって頭１２、腕１３及び脚１４の回動を抑えることができるため、頭１２、腕１３及び脚１４の回動位置を一定に保持できてポーズが安定する。
【００２２】
尚、図示の実施形態の場合、ぬいぐるみ１０は熊の形を模しているが、その他の動物を模しても構わない。また、ぬいぐるみの形態をとっているが、人形その他の形態を取っても構わない。
【００２３】
また、図示の実施形態の場合、接合具Ａにおける軸盤１の基部１ａとワッシャ２は椀状の円盤体からなるが、凹面状の円盤体であればその形状は限定されるものではない。
【図面の簡単な説明】
【００２４】
【図１】本発明の接合具を用いて製造されたぬいぐるみの正面図である。
【図２】本発明の接合具の正面図である。
【図３】図２の接合具の平面図である。
【図４】図２の接合具の底面図である。
【図５】図２の接合具のａ−ａ線における断面図である。
【図６】図２の接合具の分解図である。
【図７】従来の接合具を用いて製造されたぬいぐるみの正面図である。
【図８】従来の接合具の正面図である。
【図９】図８の接合具のｂ−ｂ線における断面図である。
【符号の説明】
【００２５】
Ａ  接合具
１  軸盤
１ａ  基部
１ｂ  軸部
１ｃ  係合突起
２  ワッシャ
２ａ  孔部
３  留めナット
３ａ  絞り孔部
３ａ´  絞り孔部の小径側端縁
１０  ぬいぐるみ
１１  胴体
１２  頭
１３  腕
１４  脚
【図１】
2006034652.tif 000003
【図２】
2006034652.tif 000004
【図３】
2006034652.tif 000005
【図４】
2006034652.tif 000006
【図５】
2006034652.tif 000007
【図６】
2006034652.tif 000008
【図７】
2006034652.tif 000009
【図８】
2006034652.tif 000010
【図９】
2006034652.tif 000011